【手続補正書】
【提出日】平成30年4月19日(2018.4.19)
【手続補正１】
【補正対象書類名】特許請求の範囲
【補正対象項目名】全文
【補正方法】変更
【補正の内容】
【特許請求の範囲】
【請求項１】
体壁に穿刺孔を開けると共に、該穿刺孔から別の医療用器具を体腔まで挿入するために穿刺孔を拡張する医療用拡張器具において、
ガイドワイヤーを軸方向に挿通可能な中空の穿刺針と、該穿刺針と同軸上に延びて該穿刺針を内側に挿通可能な円筒状のダイレーターと、前記穿刺針および前記ダイレーターをそれぞれ支持するケース体とを備え、
前記ダイレーターは、基端部が前記ケース体の前側にて該ケース体の内腔と連通する状態に固定され、先端部は先に向かって漸次縮径する先細りのテーパー状に形成され、
前記穿刺針は、前記ダイレーターの内側に挿通された状態で、基端部が前記ダイレーターの基端部より前記ケース体の内腔まで延出して、該ケース体の内腔にて穿刺針の軸方向に移動可能に配されたスライダーにある取付孔に嵌入されて固定され、先端部は前記スライダーの移動に伴い前記ダイレーターの先端部より出没し、
前記ケース体に、その内腔に配された前記スライダーを前記穿刺針の先端部が突出する方向へ動かすための操作部と、前記スライダーを前記穿刺針の先端部が突出した位置に保持するロック部と、該ロック部による保持を解除して前記スライダーを前記穿刺針の先端部が没入する位置まで戻すロック解除部とを設け、
前記操作部は、前記スライダーに連結されて、前記ケース体の後側より突出して押込み操作が可能なノックロッドを有し、
前記ノックロッドには、その内部に延びる挿入孔が穿設され、該挿入孔は、前記取付孔に嵌入された前記穿刺針の内側と連通していることを特徴とする医療用拡張器具。
【請求項２】
前記ロック部は、前記スライダーに設けられて、前記ケース体の内壁に向かい弾発的に突出する係止爪と、前記ケース体に設けられて、前記ノックロッドの押込み操作により前記スライダーが前記穿刺針の先端部を突出させる位置まで移動すると、当該位置で前記係止爪がスナップフィット係合する被係止孔とを有し、
前記ロック解除部は、前記ケース体にて前記被係止孔を外側から臨む位置に設けられ、該被係止孔に嵌入して前記係止爪のスナップフィット係合を解除するように弾性変形が可能な押ボタンと、前記スライダーを前記穿刺針の先端部が没入する方向へ付勢する付勢手段とを有し、
前記ノックロッドを前記付勢手段の付勢力に抗して押込むことで、前記スライダーは前記穿刺針の先端部を突出させる位置まで移動し、当該位置で前記係止爪は前記被係止孔にスナップフィット係合して保持され、前記押ボタンを押すことで、前記スナップフィット係合は解除され、前記スライダーは前記付勢手段の付勢力で前記穿刺針の先端部が没入する位置まで引き戻されるように設定されたことを特徴とする請求項１に記載の医療用拡張器具。
【請求項３】
体壁に穿刺孔を開けると共に、該穿刺孔から別の医療用器具を体腔まで挿入するために穿刺孔を拡張する医療用拡張器具において、
ガイドワイヤーを軸方向に挿通可能な中空の穿刺針と、該穿刺針と同軸上に延びて該穿刺針を内側に挿通可能な円筒状の第１ダイレーターと、該第１ダイレーターと同軸上に延びて該第１ダイレーターを内側に挿通可能な円筒状の第２ダイレーターと、前記穿刺針および前記各ダイレーターをそれぞれ支持するケース体とを備え、
前記第２ダイレーターは、基端部が前記ケース体の前側にて該ケース体の内腔と連通する状態に固定され、先端部は先に向かって漸次縮径する先細りのテーパー状に形成され、
前記第１ダイレーターは、前記第２ダイレーターの内側に挿通された状態で、基端部が前記第２ダイレーターの基端部より前記ケース体の内腔まで延出して、該ケース体の内腔にて第１ダイレーターの軸方向に移動可能に配された第１スライダーに固定され、先端部は前記第１スライダーの移動に伴い前記第２ダイレーターの先端部より出没し、
前記穿刺針は、前記第１ダイレーターの内側に挿通された状態で、基端部が前記第１ダイレーターの基端部より前記ケース体の内腔まで延出して、該ケース体の内腔にて穿刺針の軸方向に移動可能に配された第２スライダーに固定され、先端部は前記第２スライダーの移動に伴い前記第１ダイレーターの先端部より出没し、
前記ケース体に、その内腔に配された前記各スライダーを前記穿刺針および前記第１ダイレーターの各先端部が突出する方向へ一連の操作で動かすための操作部と、前記第１スライダーを前記第１ダイレーターの先端部が突出した位置に保持する第１ロック部と、前記第２スライダーを前記穿刺針の先端部が突出した位置に保持する第２ロック部と、該第２ロック部による保持を解除して前記第２スライダーを前記穿刺針の先端部が没入する位置まで戻す第２ロック解除部と、該第２ロック解除部により前記第２ロック部による保持が解除されたことを前提に、前記第１ロック部による保持を解除して前記第１スライダーを前記第１ダイレーターの先端部が没入する位置まで戻す第１ロック解除部とを設けたことを特徴とする医療用拡張器具。
【請求項４】
前記各スライダーは、前記ケース体の内腔にて前記第１スライダーが前側で前記第２スライダーが後側に配され、それぞれ穿刺針の軸方向に移動可能であり、
前記第１スライダーには、前記第２スライダーに固定された前記穿刺針が挿通して、第１スライダーに固定された前記第１ダイレーターの内側に案内されるための貫通孔が設けられ、
前記操作部は、前記第２スライダーに連結されて、前記ケース体の後側より突出して一連の押込み操作が可能なノックロッドを有し、
前記第１ロック部は、前記第１スライダーに設けられて、前記ケース体の内壁に向かい弾発的に突出する第１係止爪と、前記ケース体に設けられて、前記ノックロッドの押込み操作により前記第２スライダーを介して前記第１スライダーが前記第１ダイレーターの先端部を突出させる位置まで移動すると、当該位置で前記第１係止爪がスナップフィット係合する第１被係止孔とを有し、
前記第２ロック部は、前記第２スライダーに設けられて、前記ケース体の内壁に向かい弾発的に突出する第２係止爪と、前記ケース体に設けられて、前記ノックロッドの押込み操作により前記第２スライダーが前記穿刺針の先端部を突出させる位置まで移動すると、当該位置で前記第２係止爪がスナップフィット係合する第２被係止孔とを有し、
前記第１ロック解除部は、前記ケース体にて前記第１被係止孔を外側から臨む位置に設けられ、該第１被係止孔に嵌入して前記第１係止爪のスナップフィット係合を解除するように弾性変形が可能な第１押ボタンと、前記第１スライダーを前記第１ダイレーターの先端部が没入する方向へ付勢する第１付勢手段とを有し、
前記第２ロック解除部は、前記ケース体にて前記第２被係止孔を外側から臨む位置に設けられ、該第２被係止孔に嵌入して前記第２係止爪のスナップフィット係合を解除するように弾性変形が可能な第２押ボタンと、前記第２スライダーを前記穿刺針の先端部が没入する方向へ付勢する第２付勢手段とを有し、
前記ノックロッドを前記第２付勢手段の付勢力に抗して押込むことで、前記第２スライダーは前記穿刺針の先端部を突出させる位置まで移動し、当該位置で前記第２係止爪は前記第２被係止孔にスナップフィット係合して保持され、かつ前記第１スライダーは前記第２スライダーに押されて前記第１ダイレーターの先端部を突出させる位置まで移動し、当該位置で前記第１係止爪は前記第１被係止孔にスナップフィット係合して保持され、
前記第２押ボタンを押すことで、前記第２係止爪と前記第２被係止孔とのスナップフィット係合は解除され、前記第２スライダーは前記第２付勢手段の付勢力で前記穿刺針の先端部が没入する位置まで引き戻され、その後、前記第１押ボタンを押すことで、前記第１係止爪と前記第１被係止孔とのスナップフィット係合は解除され、前記第１スライダーは前記第１付勢手段の付勢力で前記第１ダイレーターの先端部が没入する位置まで引き戻されるように設定されたことを特徴とする請求項３に記載の医療用拡張器具。
【請求項５】
前記第１ダイレーターの先端部も、先に向かって漸次縮径する先細りのテーパー状に形成されたことを特徴とする請求項３または４に記載の医療用拡張器具。
【手続補正２】
【補正対象書類名】明細書
【補正対象項目名】００１０
【補正方法】変更
【補正の内容】
【００１０】
前述した目的を達成するための本発明の要旨とするところは、以下の各項の発明に存する。  
［１］体壁に穿刺孔を開けると共に、該穿刺孔から別の医療用器具を体腔まで挿入するために穿刺孔を拡張する医療用拡張器具（１０Ａ）において、
ガイドワイヤーを軸方向に挿通可能な中空の穿刺針（２０）と、該穿刺針（２０）と同軸上に延びて該穿刺針（２０）を内側に挿通可能な円筒状のダイレーター（４０）と、前記穿刺針（２０）および前記ダイレーター（４０）をそれぞれ支持するケース体（１１）とを備え、
前記ダイレーター（４０）は、基端部が前記ケース体（１１）の前側にて該ケース体（１１）の内腔と連通する状態に固定され、先端部は先に向かって漸次縮径する先細りのテーパー状に形成され、
前記穿刺針（２０）は、前記ダイレーター（４０）の内側に挿通された状態で、基端部が前記ダイレーター（４０）の基端部より前記ケース体（１１）の内腔まで延出して、該ケース体（１１）の内腔にて穿刺針（２０）の軸方向に移動可能に配されたスライダー（１７）にある取付孔（１７ａ）に嵌入されて固定され、先端部は前記スライダー（１７）の移動に伴い前記ダイレーター（４０）の先端部より出没し、
前記ケース体（１１）に、その内腔に配された前記スライダー（１７）を前記穿刺針（２０）の先端部が突出する方向へ動かすための操作部（５０）と、前記スライダー（１７）を前記穿刺針（２０）の先端部が突出した位置に保持するロック部（７０）と、該ロック部（７０）による保持を解除して前記スライダー（１７）を前記穿刺針（２０）の先端部が没入する位置まで戻すロック解除部（７５）とを設け、
前記操作部（５０）は、前記スライダー（１７）に連結されて、前記ケース体（１１）の後側より突出して押込み操作が可能なノックロッド（５１）を有し、
前記ノックロッド（５１）には、その内部に延びる挿入孔（５２）が穿設され、該挿入孔（５２）は、前記取付孔（１７ａ）に嵌入された前記穿刺針（２０）の内側と連通していることを特徴とする医療用拡張器具（１０Ａ）。
【手続補正３】
【補正対象書類名】明細書
【補正対象項目名】００１１
【補正方法】変更
【補正の内容】
【００１１】
［２］前記ロック部（７０）は、前記スライダー（１７）に設けられて、前記ケース体（１１）の内壁に向かい弾発的に突出する係止爪（７１）と、前記ケース体（１１）に設けられて、前記ノックロッド（５１）の押込み操作により前記スライダー（１７）が前記穿刺針（２０）の先端部を突出させる位置まで移動すると、当該位置で前記係止爪（７１）がスナップフィット係合する被係止孔（７２）とを有し、
前記ロック解除部（７５）は、前記ケース体（１１）にて前記被係止孔（７２）を外側から臨む位置に設けられ、該被係止孔（７２）に嵌入して前記係止爪（７１）のスナップフィット係合を解除するように弾性変形が可能な押ボタン（７６）と、前記スライダー（１７）を前記穿刺針（２０）の先端部が没入する方向へ付勢する付勢手段（７７）とを有し、
前記ノックロッド（５１）を前記付勢手段（７７）の付勢力に抗して押込むことで、前記スライダー（１７）は前記穿刺針（２０）の先端部を突出させる位置まで移動し、当該位置で前記係止爪（７１）は前記被係止孔（７２）にスナップフィット係合して保持され、前記押ボタン（７６）を押すことで、前記スナップフィット係合は解除され、前記スライダー（１７）は前記付勢手段（７７）の付勢力で前記穿刺針（２０）の先端部が没入する位置まで引き戻されるように設定されたことを特徴とする前記［１］に記載の医療用拡張器具（１０Ａ）。
【手続補正４】
【補正対象書類名】明細書
【補正対象項目名】００２２
【補正方法】変更
【補正の内容】
【００２２】
前記ケース体（１１）に設けられた操作部（５０）は、前記スライダー（１７）に連結されて、前記ケース体（１１）の後側より突出して押込み操作が可能なノックロッド（５１）を有する。前記ノックロッド（５１）には、その内部に延びる挿入孔（５２）が穿設され、該挿入孔（５２）は、前記取付孔（１７ａ）に嵌入された前記穿刺針（２０）の内側と連通している。
また、ロック部（７０）、それにロック解除部（７５）は、具体的には例えば、前記［２］に記載したように比較的簡易な構成で実現することができる。かかる構成によれば、操作部（５０）のノックロッド（５１）を押込むだけで、スライダー（１７）は穿刺針（２０）の先端部を突出させる位置まで移動し、当該位置でロック部（７０）の係止爪（７１）が被係止孔（７２）にスナップフィット係合する。これにより、穿刺針（２０）はそのまま突出した状態に保持される。